【手続補正書】
【提出日】平成17年2月9日(2005.2.9)
【手続補正１】
【補正対象書類名】明細書
【補正対象項目名】特許請求の範囲
【補正方法】変更
【補正の内容】
【特許請求の範囲】
【請求項１】
インクジェット・プリントヘッドにインク混合物を供給、分配するためにインクジェット・プリンタによって着脱可能に受容されているインク・レザーバと、
前記インク・レザーバ内に収納されているインク展色剤と、
前記インク混合物を得るために前記インク展色剤と混合可能なインク要素と、
前記インク・レザーバ内の前記インク展色剤中に前記インク要素を選択的に導入する導入装置とを有することを特徴とするインクジェット・プリンタ用インク補給システム。
【請求項２】
前記導入装置が、前記レザーバ内に配設される破砕可能な容器であることを特徴とする請求項１に記載のインクジェット・プリンタ用インク補給システム。
【請求項３】
前記破砕可能な容器が、脆弱なプラスチックまたはガラスであることを特徴とする請求項２に記載のインクジェット・プリンタ用インク補給システム。
【請求項４】
更に、前記導入装置が破砕装置と前記破砕装置と共に前記破砕可能な容器を選択的に押し付ける押し付け装置とを備え、前記破砕装置が前記破砕可能な容器を破砕して前記インク要素を前記インク展色剤中に導入することを特徴とする請求項１乃至３のいずれかに記載のインクジェット・プリンタ用インク補給システム。
【請求項５】
前記リザーバが壁を有し、前記押し付け装置が、選択的活性化のために前記レザーバの壁を通して前記レザーバ内部から延伸する外側部分を有し、前記破砕可能な容器とブレーカ装置とが互いに押し合うようにさせることを特徴とする請求項４に記載のインクジェット・プリンタ用インク補給システム。
【請求項６】
更に、閉鎖装置を備えていて、前記第１のインク要素が前記インク展色剤中へ導入された後、前記閉鎖装置が前記第２インク要素の前記インク展色剤中への導入を阻止することを特徴とする請求項１乃至５のいずれかに記載のインクジェット・プリンタ用インク補給システム。
【請求項７】
前記破砕可能な容器が前記レザーバ内の所定位置に固定され、前記レザーバが圧搾可能な容器を備え、前記破砕可能な容器は隣接する前記レザーバの圧搾によって破砕される材料でできていることを特徴とする請求項２または３のいずれかに記載のインクジェット・プリンタ用インク補給システム。
【請求項８】
前記導入装置が、前記レザーバ内部に配置された貫通可能な容器と、前記貫通可能な容器を貫通して活性化することができる貫通装置とを有することを特徴とする請求項１乃至３のいずれかに記載のインクジェット・プリンタ用インク補給システム。
【請求項９】
前記導入装置が前記レザーバ内部に配置され、開放可能な部分を密封する引き裂き条片を備え、前記インク要素を収容する引き裂き可能な容器と、
引き出されると、前記引き裂き条片が前記引き裂き可能な容器を引き裂いて開放させ、前記インク要素を前記展色剤に曝すような長さを有して前記引き裂き条片に連結される引き紐とを有することを特徴とする請求項１に記載のインクジェット・プリンタ用インク補給システム。
【請求項１０】
前記インク・レザーバが入口を具備し、前記導入装置が、前記インク要素を前記レザーバの入口を通して前記インク展色剤中に導入させる容器を有することを特徴とする請求項１に記載のインクジェット・プリンタ用インク補給システム。
【請求項１１】
更に、インクジェット・カートリッジ躯体部を備え、前記インクジェット・プリントヘッドが前記カートリッジ躯体部によって支持されることを特徴とする請求項１乃至１０のいずれかに記載のインクジェット・プリンタ用インク補給システム。
【請求項１２】
前記インクジェット・プリントヘッドが前記レザーバから取り外し可能なプリントヘッドを備え、前記インクジェット・プリンタが、前記インク・リザーバを取り外し可能に受容するリザーバ置場と、前記インク混合物を前記レザーバから前記取り外し可能なプリントヘッド内に供給、分配するインク供給、分配システムとを有することを特徴とする請求項１乃至１０のいずれかに記載のインクジェット・プリンタ用インク補給システム。
【請求項１３】
前記インク要素が第１の要素を備え、前記インク補給システムが更に前記インク混合物を得るために前記インク展色剤と混合可能な第２のインク要素と、前記第２のインク要素を前記レザーバ内の前記インク展色剤中に選択的に導入する第２の導入装置とを備えることを特徴とする請求項１乃至１２のいずれかに記載のインクジェット・プリンタ用インク補給システム。
【請求項１４】
更に、複数のインク要素と、前記複数のインク要素の一つが前記インク展色剤中へ導入された後、何れの前記複数のインク要素が導入されたかを示す表示装置とを有することを特徴とする請求項１乃至１３のいずれかに記載のインクジェット・プリンタ用インク補給システム。
【請求項１５】
前記インク補給システムが更に、前記インク要素の導入後、前記インク要素を前記インク展色剤と混合させる混合装置を備えることを特徴とする請求項１乃至１４のいずれかに記載のインクジェット・プリンタ用インク補給システム。
【請求項１６】
前記インク要素が、液体物質と前記インク展色剤によって溶解可能な固体ペレット状物質と前記インク展色剤によって溶解可能な粒状物質と前記インク展色剤によって溶解可能な固体薄片の中から選択された物質であることを特徴とする請求項１乃至１５のいずれかに記載のインクジェット・プリンタ用インク補給システム。
【請求項１７】
インク混合物を選択的に放出してイメージをプリントするインクジェット・プリントヘッドと、
容器置場と、
前記インク混合物をインクジェット・プリントヘッドに供給、分配するために前記容器置場によって取り外し可能に受容されているインク・レザーバと、
前記インク・レザーバ内に収容されているインク展色剤と、
前記インク混合物を得るために前記インク展色剤と混合可能なインク要素と、
開放されて前記インク要素を前記インク展色剤中に導入する前は、前記インク要素を前記インク展色剤から分離させる、前記インク・レザーバ内に配置されている開放可能な容器とを有することを特徴とするインクジェット・プリンタ。
【請求項１８】
前記インク・レザーバが、インクジェット・プリントヘッドを支持するインクジェット・カートリッジ躯体部内部に収容され、前記容器置場が前記カートリッジ躯体部を取り外し可能に受容するキャリッジを有することを特徴とする請求項１７に記載のインクジェット・プリンタ。
【請求項１９】
前記インク・プリントヘッドが前記インク・レザーバから取り外し可能なプリントヘッドを備え、前記レザーバ置場が前記取り外し可能なプリントヘッドから離れて配設され、前記インクジェット・プリンタが更に、前記インク混合物を前記インク・レザーバから供給、分配するインク供給、分配システムを備えることを特徴とする請求項１７に記載のインクジェット・プリンタ。
【請求項２０】
前記インクジェット・プリンタが更に、複数個のインクジェット・プリントヘッドと、前記複数個のインクジェット・プリントヘッドの各々と流体連通状態になっている複数個のインク・レザーバと、異なったインク要素を収容する複数個の容器のうちの少なくとも二個が前記各複数個のインク・レザーバの内部の異なった位置に固定されている複数個の開放可能な容器とを備えており、
前記インク・レザーバ内の前記異なったインク要素は前記インク展色剤中への導入で異なった色の前記インク混合物を生成するインク着色剤を備え、
前記レザーバ置場が前記複数個のインク・レザーバ全てを取り外し可能に受容し、前記レザーバ置場が、組み入れられると選択された前記インク着色剤を前記複数個のインク・レザーバ内の前記インク展色剤中に導入するために、前記各インク・レザーバに対応して開放可能な容器を選択的に開放する導入装置を備えることを特徴とする請求項１７乃至１９のいずれかに記載のインクジェット・プリンタ。
【請求項２１】
更に、前記インク要素の導入後に、前記要素を前記インク展色剤と混合する混合装置を備えることを特徴とする請求項１７乃至２０のいずれかに記載のインクジェット・プリンタ。
【請求項２２】
インク展色剤と複数のインク要素を備える複数のインク成分を準備するステップと、
前記複数のインク要素を選択するステップと、
前記選択するステップによって選択されたインク要素を前記インク展色剤中に導入するステップと、
前記導入するステップによって導入されたインク要素を、前記インク展色剤と混合して前記インク混合物を生成するステップとを有し、
使用時に前記インク混合物の前記複数のインク成分を結合させることを特徴とするインクジェット・プリンタのインク補給方法。
【請求項２３】
前記準備するステップは、インク・レザーバ内に展色剤を準備するステップと、前記インク・レザーバ内に配置された開放可能な容器内に前記各インク要素を準備するステップとを備え、
前記導入するステップは、前記選択されたインク要素を備えた前記容器を開放するステップを備えていることを特徴とする請求項２２に記載のインクジェット・プリンタのインク補給方法。
【請求項２４】
前記準備するステップは、破砕可能な容器として開放可能な容器を準備するステップを備え、前記導入するステップは、前記選択されたインク要素を収容する前記破砕可能な容器を破砕するステップを備えることを特徴とする請求項２２または２３のいずれかに記載のインクジェット・プリンタのインク補給方法。
【請求項２５】
前記準備するステップが押し付け装置によって選択的に接触するように前記インク・レザーバ内の所定位置に前記各破砕可能な容器を固定するステップを備え、前記導入するステップが前記選択された破砕可能な容器を破砕装置に対して前記押し付け装置によって押し付けるステップを備えることを特徴とする請求項２４に記載のインクジェット・プリンタのインク補給方法。
【請求項２６】
前記準備するステップが前記各押し付け装置によって作動可能な閉鎖装置を備えるステップを有し、更に、前記導入するステップの後に、前記閉鎖装置によって他の押し付け装置の如何なる押し付けも阻止するステップを有することを特徴とする請求項２５に記載のインクジェット・プリンタのインク補給方法。
【請求項２７】
前記準備するステップが、所定位置に固定された破砕可能な容器を有する圧搾可能な容器としてインク・レザーバを備えるステップを有し、前記導入するステップが、前記選択されたインク要素を収容する前記破砕可能な容器を破砕するために前記レザーバを圧搾するステップを有することを特徴とする請求項２２または２３のいずれかに記載のインクジェット・プリンタのインク補給方法。
【請求項２８】
前記準備するステップが、開放可能な部分を密封する引き裂き条片を有する引き裂き可能な容器として開放可能な容器を備えるステップを有し、前記導入するステップが前記選択されたインク要素を収容する前記引き裂き可能な容器の開放可能な部分を開放するために、前記引き裂き条片を引き出すステップを有することを特徴とする請求項２２または２３のいずれかに記載のインクジェット・プリンタのインク補給方法。
【請求項２９】
前記準備するステップは、入口を有するインク・レザーバに前記インク展色剤を準備するステップと、複数個の容器に対応する前記複数のインク要素の一つを準備するステップとを有し、前記入口は、前記インク要素を前記インク展色剤中に導入する大きさとなっており、
前記導入するステップは、前記選択されたインク要素を前記レザーバの入口を通して前記レザーバ中に注入するステップを有することを特徴とする請求項２２または２３のいずれかに記載のインクジェット・プリンタのインク補給方法。
【請求項３０】
前記準備するステップが、固体物質として少なくとも一つ以上の前記インク要素を準備するステップを有し、前記混合するステップが選択された前記固体物質を前記インク展色剤によって溶解するステップを有することを特徴とする請求項２２乃至２９のいずれかに記載のインクジェット・プリンタのインク補給方法。